(57)【要約】【課題】  吹出気流のゾーニングができ、吹出気流の吸込気流へのショートサーキットをなくす。【解決手段】  側方から吸い込み下向きに吹き出す送風機４と、該送風機４の側方に位置する熱交換器５と、該熱交換器５の側方に位置する吸込空気通路６とを備えた空気調和機本体１と、該空気調和機本体１の下面を覆うパネル２とからなる高所設置型空気調和機において、前記パネル２に、中央部に位置する空気吹出口８と該空気吹出口８を囲むように位置して前記吸込空気通路６に連通する空気吸込口９とを形成して、空気吸込口９から吸い込まれた室内空気Ｗｒが熱交換器５を通過する過程において調和空気Ｗとなり、空気吹出口８から略下向きに室内に吹き出されるようにしたので、暖房運転時における吹出気流Ｗのゾーニングが可能となるとともに、吹出気流Ｗの吹出角度範囲を大きくとっても、吹出気流Ｗの吸込気流Ｗｒへのショートサーキットをなくすことができる。【選択図】        図１
2009168323.tif 000002
【特許請求の範囲】
【請求項１】
側方から吸い込み下向きに吹き出す送風機（４）と、該送風機（４）の側方に位置する熱交換器（５）と、該熱交換器（５）の側方に位置する吸込空気通路（６）とを備えた空気調和機本体（１）と、該空気調和機本体（１）の下面を覆うパネル（２）とからなる高所設置型空気調和機であって、前記パネル（２）には、中央部に位置する空気吹出口（８）と該空気吹出口（８）を囲むように位置して前記吸込空気通路（６）に連通する空気吸込口（９）とを形成したことを特徴とする高所設置型空気調和機。
【請求項２】
前記空気吹出口（８）を、中央部に位置して吹出空気（Ｗ）を下向きに吹き出す下向き吹出口（８ａ）と該下向き吹出口（８ａ）から放射状に形成された放射状吹出口（８ｂ），（８ｂ）・・とによって構成したことを特徴とする請求項１記載の高所設置型空気調和機。
【請求項３】
前記パネル（２）を、矩形形状とするとともに、前記放射状吹出口（８ｂ），（８ｂ）・・を、前記パネル（２）における４辺と直交する４本としたことを特徴とする請求項２記載の高所設置型空気調和機。
【請求項４】
前記パネル（２）を、矩形形状とするとともに、前記放射状吹出口（８ｂ），（８ｂ）・・を、前記パネル（２）における４個の角隅部に向かう４本としたことを特徴とする請求項２記載の高所設置型空気調和機。
【請求項５】
前記空気吹出口（８）には、開閉自在なフラップ（１０），（１０）・・を付設したことを特徴とする請求項２、３および４のいずれか一項記載の高所設置型空気調和機。
【請求項６】
前記空気吸込口（９）を、前記放射状吹出口（８ｂ），（８ｂ）・・の延長上を除く位置に形成したことを特徴とする請求項２、３、４および５のいずれか一項記載の高所設置型空気調和機。
【請求項７】
前記送風機（４）として、求心ファンを採用したことを特徴とする請求項１、２、３、４、５および６のいずれか一項記載の高所設置型空気調和機。
【請求項８】
前記送風機（４）として、シロッコファンを採用したことを特徴とする請求項１、２、３、４、５および６のいずれか一項記載の高所設置型空気調和機。
【発明の詳細な説明】
【技術分野】
【０００１】
本願発明は、高所設置型空気調和機に関し、さらに詳しくは吹出気流の改善を可能となした高所設置型空気調和機に関するものである。ここで、高所設置型空気調和機とは、天井埋込式空気調和機あるいは天井吊下式空気調和機のように高所に設置して使用される空気調和機のことである。
【背景技術】
【０００２】
高所設置型空気調和機としては、天井埋込式空気調和機がよく知られている。この天井埋込式空気調和機の場合、天井に形成された開口内に天井裏から吊り下げ支持され且つ内部に送風機および熱交換器を具備した空気調和機本体と、該空気調和機本体の下面側に取れ付けられて前記天井開口を覆蓋する矩形形状の化粧パネルとを備えて構成されている。そして、この化粧パネルには、中央部に位置する空気吸込口と、該空気吸込口を囲むようにして化粧パネルの４辺に沿う位置に位置する４個の空気吹出口とが形成されている。つまり、従来の空気調和機においては、化粧パネルの中央部に形成された空気吸込口から吸い込まれた室内空気は、空気調和機本体内の熱交換器を通過する過程において冷却あるいは加熱されて調和空気とされ、化粧パネルの側縁部に形成された４個の空気吹出口から室内へ吹き出されることとなっているのである（特許文献１参照）。
【０００３】
【特許文献１】特開２００１−３０４６７３
【発明の開示】
【発明が解決しようとする課題】
【０００４】
上記従来の高所設置型空気調和機の場合、例えば冷房運転時において略水平方向吹出を行うと、吹出気流が天井面に張り付くおそれがあるところから、吹出角度を大きくとることができないという不具合が存していた。また、暖房運転時においては、吹出気流のゾーニングが難しいという不具合があった。しかも、吹出気流の吸込気流へのショートサーキットが問題となるところから、下向き吹出気流の吹出角度が制限されるという不具合もあった。
【０００５】
本願発明は、上記の点に鑑みてなされたもので、吹出気流のゾーニングができ、吹出気流の吸込気流へのショートサーキットをなくすことを目的としている。
【課題を解決するための手段】
【０００６】
本願発明では、上記課題を解決するための第１の手段として、側方から吸い込み下向きに吹き出す送風機４と、該送風機４の側方に位置する熱交換器５と、該熱交換器５の側方に位置する吸込空気通路６とを備えた空気調和機本体１と、該空気調和機本体１の下面を覆うパネル２とからなる高所設置型空気調和機において、前記パネル２に、中央部に位置する空気吹出口８と該空気吹出口８を囲むように位置して前記吸込空気通路６に連通する空気吸込口９とを形成している。
【０００７】
上記のように構成したことにより、空気吹出口８を囲むように位置する空気吸込口９から吸い込まれた室内空気Ｗｒが熱交換器５を通過する過程において冷却あるいは加熱されて調和空気Ｗとなり、パネル２の中央部に形成された空気吹出口８から略下向きに室内に吹き出されることとなる。従って、暖房運転時における吹出気流Ｗのゾーニングが可能となるとともに、吹出気流Ｗの吹出角度範囲を大きくとっても、吹出気流Ｗの吸込気流Ｗｒへのショートサーキットをなくすことができる。また、冷房運転時において、吹出気流Ｗが天井面に張り付くということがなくなる。さらに、従来の４方吹出タイプの場合（例えば、吹出角度＝３５°〜６０°）に比較して吹出角度範囲を大幅に拡大する（例えば、吹出角度＝１０°〜９０°）ことができる。
【０００８】
本願発明では、さらに、上記課題を解決するための第２の手段として、上記第１の手段を備えた高所設置型空気調和機において、前記空気吹出口８を、中央部に位置して吹出空気を下向きに吹き出す下向き吹出口８ａと該下向き吹出口８ａから放射状に形成された放射状吹出口８ｂ，８ｂ・・とによって構成することもでき、そのように構成した場合、中央部に位置する下向き吹出口８ａからは主として下向きの吹出気流ｗが得られるとともに、放射状吹出口８ｂ，８ｂ・・からは主として放射状の吹出気流ｗが得られることとなり、暖房運転時における吹出気流ｗのゾーニングが容易に得られる。
【０００９】
本願発明では、さらに、上記課題を解決するための第３の手段として、上記第２の手段を備えた高所設置型空気調和機において、前記パネル２を、矩形形状とするとともに、前記放射状吹出口８ｂ，８ｂ・・を、前記パネル２における４辺と直交する４本とすることもでき、そのように構成した場合、最小限の本数の放射状吹出口８ｂ，８ｂ・・によって、暖房運転時における吹出気流Ｗのゾーニングが容易に得られる。
【００１０】
本願発明では、さらに、上記課題を解決するための第４の手段として、上記第２の手段を備えた高所設置型空気調和機において、前記パネル２を、矩形形状とするとともに、前記放射状吹出口８ｂ，８ｂ・・を、前記パネル２における４個の角隅部に向かう４本とすることもでき、そのように構成した場合、最小限の本数の放射状吹出口８ｂ，８ｂ・・によって、暖房運転時における吹出気流Ｗのゾーニングが容易に得られる。
【００１１】
本願発明では、さらに、上記課題を解決するための第５の手段として、上記第２、第３又は第４の手段を備えた高所設置型空気調和機において、前記空気吹出口８に、開閉自在なフラップ１０，１０・・を付設することもでき、そのように構成した場合、運転時においてはフラップ１０，１０・・の開度を調整することにより、吹出気流Ｗの吹出角度調整が容易に行えるとともに、運転停止時においては空気吹出口８がフラップ１０，１０・・によって閉塞されることにより、運転停止状態を視認により確認することができる。また、フラップ１０，１０・・を部分的に閉状態とすることにより、室内形状に合わせた吹出気流Ｗのゾーニングがより確実に得られる。
本願発明では、さらに、上記課題を解決するための第６の手段として、上記第２、第３、第４又は第５の手段を備えた高所設置型空気調和機において、前記空気吸込口９を、前記放射状吹出口８ｂ，８ｂ・・の延長上を除く位置に形成することもでき、そのように構成した場合、吹出気流Ｗの吸込気流Ｗｒへのショートサーキットをより一層確実に防止することが可能となる。
【００１２】
本願発明では、さらに、上記課題を解決するための第７の手段として、上記第１、第２、第３、第４、第５又は第６の手段を備えた高所設置型空気調和機において、前記送風機４として、求心ファンを採用することもでき、そのように構成した場合、求心ファンを用いることで、簡単な構造で、室内空気Ｗｒを側方から吸い込み、調和空気Ｗを下向きに吹き出すことが可能となる。
【００１３】
本願発明では、さらに、上記課題を解決するための第８の手段として、上記第１、第２、第３、第４、第５又は第６の手段を備えた高所設置型空気調和機において、前記送風機４として、シロッコファンを採用することもでき、そのように構成した場合、シロッコファンを用いることで、簡単な構造で、室内空気を側方から吸い込み、調和空気を下向きに吹き出すことが可能となる。
【発明の効果】
【００１４】
本願発明の第１の手段によれば、側方から吸い込み下向きに吹き出す送風機４と、該送風機４の側方に位置する熱交換器５と、該熱交換器５の側方に位置する吸込空気通路６とを備えた空気調和機本体１と、該空気調和機本体１の下面を覆うパネル２とからなる高所設置型空気調和機において、前記パネル２に、中央部に位置する空気吹出口８と該空気吹出口８を囲むように位置して前記吸込空気通路６に連通する空気吸込口９とを形成して、空気吹出口８を囲むように位置する空気吸込口９から吸い込まれた室内空気Ｗｒが熱交換器５を通過する過程において冷却あるいは加熱されて調和空気Ｗとなり、パネル２の中央部に形成された空気吹出口８から略下向きに室内に吹き出されるようにしたので、暖房運転時における吹出気流Ｗのゾーニングが可能となるとともに、吹出気流Ｗの吹出角度範囲を大きくとっても、吹出気流Ｗの吸込気流Ｗｒへのショートサーキットをなくすことができるという効果が得られる。また、冷房運転時において、吹出気流Ｗが天井面に張り付くということがなくなるという効果も得られる。さらに、従来の４方吹出タイプの場合（例えば、吹出角度＝３５°〜６０°）に比較して吹出角度範囲を大幅に拡大する（例えば、吹出角度＝１０°〜９０°）ことができるという効果もある。
【００１５】
本願発明の第２の手段におけるように、上記第１の手段を備えた高所設置型空気調和機において、前記空気吹出口８を、中央部に位置して吹出空気Ｗを下向きに吹き出す下向き吹出口８ａと該下向き吹出口８ａから放射状に形成された放射状吹出口８ｂ，８ｂ・・とによって構成することもでき、そのように構成した場合、中央部に位置する下向き吹出口８ａからは主として下向きの吹出気流Ｗが得られるとともに、放射状吹出口８ｂ，８ｂ・・からは主として放射状の吹出気流Ｗが得られることとなり、暖房運転時における吹出気流Ｗのゾーニングが容易に得られる。
【００１６】
本願発明の第３の手段におけるように、上記第２の手段を備えた高所設置型空気調和機において、前記パネル２を、矩形形状とするとともに、前記放射状吹出口８ｂ，８ｂ・・を、前記パネル２における４辺と直交する４本とすることもでき、そのように構成した場合、最小限の本数の放射状吹出口８ｂ，８ｂ・・によって、暖房運転時における吹出気流Ｗのゾーニングが容易に得られる。
【００１７】
本願発明の第４の手段におけるように、上記第２の手段を備えた高所設置型空気調和機において、前記パネル２を、矩形形状とするとともに、前記放射状吹出口８ｂ，８ｂ・・を、前記パネル２における４個の角隅部に向かう４本とすることもでき、そのように構成した場合、最小限の本数の放射状吹出口８ｂ，８ｂ・・によって、暖房運転時における吹出気流Ｗのゾーニングが容易に得られる。
【００１８】
本願発明の第５の手段におけるように、上記第２、第３又は第４の手段を備えた高所設置型空気調和機において、前記空気吹出口８に、開閉自在なフラップ１０，１０・・を付設することもでき、そのように構成した場合、運転時においてはフラップ１０，１０・・の開度を調整することにより、吹出気流Ｗの吹出角度調整が容易に行えるとともに、運転停止時においては空気吹出口８がフラップ１０，１０・・によって閉塞されることにより、運転停止状態を視認により確認することができる。また、フラップ１０，１０・・を部分的に閉状態とすることにより、室内形状に合わせた吹出気流Ｗのゾーニングがより確実に得られる。
本願発明の第６の手段におけるように、上記第２、第３、第４又は第５の手段を備えた高所設置型空気調和機において、前記空気吸込口９を、前記放射状吹出口８ｂ，８ｂ・・の延長上を除く位置に形成することもでき、そのように構成した場合、吹出気流Ｗの吸込気流Ｗｒへのショートサーキットをより一層確実に防止することが可能となる。
【００１９】
本願発明の第７の手段におけるように、上記第１、第２、第３、第４、第５又は第６の手段を備えた高所設置型空気調和機において、前記送風機４として、求心ファンを採用することもでき、そのように構成した場合、求心ファンを用いることで、簡単な構造で、室内空気Ｗｒを側方から吸い込み、調和空気Ｗを下向きに吹き出すことが可能となる。
【００２０】
本願発明の第８の手段におけるように、上記第１、第２、第３、第４、第５又は第６の手段を備えた高所設置型空気調和機において、前記送風機４として、シロッコファンを採用することもでき、そのように構成した場合、シロッコファンを用いることで、簡単な構造で、室内空気Ｗｒを側方から吸い込み、調和空気Ｗを下向きに吹き出すことが可能となる。
【発明を実施するための最良の形態】
【００２１】
以下、添付の図面を参照して、本願発明の幾つかの好適な実施の形態について説明する。
【００２２】
第１の実施の形態
図１および図２には、本願発明の第１の実施の形態にかかる高所設置型空気調和機が示されている。
【００２３】
本実施の形態においては、高所設置型空気調和機として天井埋込式空気調和機を例として採用している。
【００２４】
この天井埋込式空気調和機は、図１に示すように、天井Ｃに形成された矩形形状の開口１３に臨むように配置された空気調和機本体１と、該空気調和機本体１の下面を覆うとともに前記開口１３を覆蓋するパネル２とを備えて構成されている。
【００２５】
前記空気調和機本体１は、矩形形状のケーシング３内の中央部に配設された送風機４と該送風機４の側方において該送風機４を囲繞する熱交換器５と該熱交換器５の側方に位置する吸込空気通路６とを備えて構成されており、前記送風機４としては、側方から吸い込み下向きに吹き出すタイプのファン（例えば、求心ファン）が採用されている。なお、求心ファンに代えて、プロペラファンを採用してもよい。符号７は求心ファン４の駆動源であるファンモータであり、前記ケーシング３の天面に取り付けられている。
【００２６】
一方、前記パネル２には、図２に示すように、矩形形状とされており、中央部に位置する空気吹出口８と該空気吹出口８を囲むように位置して前記吸込空気通路６に連通する空気吸込口９とが形成されている。前記空気吹出口８は、中央部に位置して吹出空気Ｗを下向きに吹き出す下向き吹出口８ａと該下向き吹出口８ａから放射状に形成された放射状吹出口８ｂ，８ｂ・・とによって構成されている。本実施の形態においては、この放射状吹出口８ｂ，８ｂ・・は、前記パネル２における４辺と直交する４本とされている。
【００２７】
また、前記空気吹出口８には、開閉自在なフラップ１０，１０・・が付設されている。該フラップ９，９・・は、図示しない駆動手段により開閉作動されることとなっており、下向き吹出口８ａに付設されているフラップ１０は、空気調和機の運転時における鉛直姿勢の開状態（図１参照）と空気調和機の運転停止時における水平姿勢の閉状態（図３）とを選択できるようになっており、放射状吹出口８ｂに付設されているフラップ１０は、空気調和機の運転時における傾斜姿勢の開状態（図１参照）と空気調和機の運転停止時における水平姿勢の閉状態（図３参照）とを選択できるようになっている。
【００２８】
図１において、符号１１は吹出空気Ｗをガイドするためにパネル２における空気吹出口８の中央部に形成された空気通路ガイド、１２はドレンパンである。
【００２９】
上記のように構成された天井埋込式空気調和機においては、次のような作用効果が得られる。
【００３０】
空気吹出口８を囲むように位置する空気吸込口９から吸い込まれた室内空気が熱交換器５を通過する過程において冷却あるいは加熱されて調和空気Ｗとなり、パネル２の中央部に形成された空気吹出口８から略下向きに室内に吹き出されることとなる。従って、暖房運転時における吹出気流Ｗのゾーニングが可能となるとともに、吹出気流Ｗの吹出角度範囲を大きくとっても、吹出気流Ｗの吸込気流Ｗｒへのショートサーキットをなくすことができる。また、冷房運転時において、吹出気流Ｗが天井面に張り付くということがなくなる。
【００３１】
また、前記空気吹出口８を、中央部に位置して吹出空気Ｗを下向きに吹き出す下向き吹出口８ａと該下向き吹出口８ａから放射状に形成された放射状吹出口８ｂ，８ｂ・・とによって構成したことにより、中央部に位置する下向き吹出口８ａからは主として下向きの吹出気流Ｗが得られるとともに、放射状吹出口８ｂ，８ｂ・・からは主として放射状の吹出気流Ｗが得られることとなり、暖房運転時における吹出気流のゾーニングが容易に得られる。
【００３２】
また、前記パネル２を、矩形形状とするとともに、前記放射状吹出口８ｂ，８ｂ・・を、前記パネル２における４辺と直交する４本としたことにより、最小限の本数の放射状吹出口８ｂ，８ｂ・・によって、暖房運転時における吹出気流のゾーニングが容易に得られる。
【００３３】
また、前記空気吹出口８に、開閉自在なフラップ１０，１０・・を付設したことにより、運転時においてはフラップ１０，１０・・の開度を調整することにより、吹出気流Ｗの吹出角度調整が容易に行えるとともに、運転停止時においては空気吹出口８がフラップ１０，１０・・によって閉塞されることにより、運転停止状態を視認により確認することができる。
【００３４】
また、図４に示すように、フラップ１０，１０・・を部分的に（例えば、仮想線で示す部分を）閉状態とすることにより、室内形状に合わせた吹出気流Ｗのゾーニングがより確実に得られる。なお、パネルを複数枚用いて、室内形状に合わせて選択使用することにより、室内形状に合わせた吹出気流Ｗのゾーニングを行うようにしてもよい。
【００３５】
また、前記送風機４として、求心ファンを採用したことにより、簡単な構造で、室内空気Ｗｒを側方から吸い込み、調和空気Ｗを下向きに吹き出すことが可能となる。
【００３６】
第２の実施の形態
図５には、本願発明の第２の実施の形態にかかる高所設置型空気調和機におけるパネルの下面図が示されている。
【００３７】
この場合、空気吸込口９は、空気吹出口８における放射状吹出口８ｂ，８ｂ・・の延長上を除く位置に形成されている。このようにすると、吹出気流の吸込気流へのショートサーキットをより一層確実に防止することが可能となる。
【００３８】
その他の構成および作用効果は、第１の実施の形態におけると同様なので説明を省略する。
【００３９】
第３の実施の形態
図６には、本願発明の第３の実施の形態にかかる高所設置型空気調和機におけるパネルの下面図が示されている。
【００４０】
この場合、パネル２は、矩形形状とされるとともに、空気吹出口８における放射状吹出口８ｂ，８ｂ・・は、前記パネル２における４個の角隅部に向かう４本とされている。このようにすると、最小限の本数の放射状吹出口８ｂ，８ｂ・・によって、暖房運転時における吹出気流のゾーニングが容易に得られる。
【００４１】
その他の構成および作用効果は、第１の実施の形態におけると同様なので説明を省略する。
【００４２】
第４の実施の形態
図７には、本願発明の第４の実施の形態にかかる高所設置型空気調和機にかかるパネルの下面図が示されている。
【００４３】
この場合、パネル２は、矩形形状とされるとともに、空気吹出口８における放射状吹出口８ｂ，８ｂ・・は、前記パネル２における４個の角隅部に向かう４本とされている。また、空気吸込口９は、空気吹出口８における放射状吹出口８ｂ，８ｂ・・の延長上を除く位置に形成されている。このようにすると、最小限の本数の放射状吹出口８ｂ，８ｂ・・によって、暖房運転時における吹出気流のゾーニングが容易に得られるとともに、吹出気流の吸込気流へのショートサーキットをより一層確実に防止することが可能となる。
【００４４】
その他の構成および作用効果は、第１の実施の形態におけると同様なので説明を省略する。
【００４５】
第５の実施の形態
図８には、本願発明の第５の実施の形態にかかる高所設置型空気調和機の縦断側面図が示されている。
【００４６】
この場合、送風機４として、２連式のシロッコファンが採用されている。このようにすると、シロッコファンを用いることで、簡単な構造で、室内空気Ｗｒを側方から吸い込み、調和空気Ｗを下向きに吹き出すことが可能となる。
【００４７】
その他の構成および作用効果は、第１〜第４の実施の形態におけると同様なので説明を省略する。
【００４８】
上記各実施の形態においては、パネル２を矩形形状としているが、円形等の他の形状とすることもできる。
【００４９】
また、高所設置型空気調和機として、天井埋込式空気調和機を例としているが、本願発明は、他の形式の高所設置型空気調和機（例えば、天井吊下式空気調和機）にも適用可能なことは勿論である。
【図面の簡単な説明】
【００５０】
【図１】本願発明の第１の実施の形態にかかる高所設置型空気調和機の縦断側面図である。
【図２】本願発明の第１の実施の形態にかかる高所設置型空気調和機におけるパネルの下面図である。
【図３】本願発明の第１の実施の形態にかかる高所設置型空気調和機におけるフラップ閉状態を示すパネルの縦断側面図である。
【図４】本願発明の第１の実施の形態にかかる高所設置型空気調和機におけるフラップ部分閉状態を示すパネルの下面図である。
【図５】本願発明の第２の実施の形態にかかる高所設置型空気調和機におけるパネルの下面図である。
【図６】本願発明の第３の実施の形態にかかる高所設置型空気調和機におけるパネルの下面図である。
【図７】本願発明の第４の実施の形態にかかる高所設置型空気調和機におけるパネルの下面図である。
【符号の説明】
【００５１】
１は空気調和機本体
２はパネル
４は送風機
５は熱交換器
６は吸込空気通路
８は空気吹出口
８ａは下向き吹出口
８ｂは放射状吹出口
９は空気吸込口
１０はフラップ
【図１】
2009168323.tif 000003
【図２】
2009168323.tif 000004
【図３】
2009168323.tif 000005
【図４】
2009168323.tif 000006
【図５】
2009168323.tif 000007
【図６】
2009168323.tif 000008
【図７】
2009168323.tif 000009